(57)【要約】【課題】  それぞれ内召し合わせ框内、外召し合わせ框内に取り付けられた、クレセントのスプーンと鍵受けとが係合状態にあるとき、内召し合わせ框の室外側面に設けられた窓部からの、内召し合わせ框内、及び室内への雨水の侵入を防止することが可能な開口部装置を提供する。【解決手段】  室内側障子の内召合わせ框内に収容可能な鍵片３０４と、室外側障子に設けられた鍵受けとを備えるとともに、内召合わせ框の室外側の面には、鍵片が内召合わせ框内から突出して鍵受けに係合可能なように框の内外に通じる窓部４１０が設けられた開口部装置において、鍵片が鍵受けに係合されているときに、雨水が前記窓部から内召し合わせ框内に侵入し、さらに室内側に侵入するのを防止する雨水侵入防止手段３５０を設ける。【選択図】      図４
2006118136.tif 000002
【特許請求の範囲】
【請求項１】
四辺の枠体と、この枠体内に配置された複数の障子とを備えるとともに、前記複数の障子のうち少なくとも１枚の障子は左右方向に移動可能に構成された開口部装置であって、
室内側障子の内召合わせ框内に収容可能な鍵片と、室外側障子に設けられた鍵受けとを備えるとともに、前記内召合わせ框の室外側の面には、前記鍵片が前記内召合わせ框内から突出して前記鍵受けに係合可能なように、框の内外に通じる窓部が設けられ、
前記鍵片が前記鍵受けに係合されているときに、雨水が前記窓部から前記内召し合わせ框内に侵入し、さらに室内側に侵入するのを防止する雨水侵入防止手段を有している、開口部装置。
【請求項２】
前記雨水侵入防止手段は、前記鍵片と一体に形成されるとともに、前記窓部の開口面と略同一形状の窓部閉鎖平面を備え、前記鍵片を鍵受けとの係合状態にまで操作したときに、前記窓部の開口面に前記窓部閉鎖平面が配置されるブロック体である、請求項１に記載の開口部装置。
【請求項３】
前記、雨水侵入防止手段は、前記内召し合わせ框内に配設される箱体であり、
前記箱体は、一の面に開口部を備えるとともに、前記開口部の周囲は前記内召し合わせ框の室外側面に接合されており、
前記窓部は前記開口部の面内に配置されるとともに、前記鍵片は前記鍵受けに係合していないときには前記箱体内部に収容可能に構成されている、請求項１に記載の開口部装置。
【請求項４】
前記窓部が、前記内外の障子の開動作に伴って閉じ、前記内外の障子の閉動作に伴って開く開閉手段を有している、請求項１〜３のいずれか１項に記載の開口部装置。
【発明の詳細な説明】
【技術分野】
【０００１】
本発明は、クレセント等の施錠装置が召し合わせ框内に配設されるとともに、施錠時にはクレセントが突没可能なように框の内外に通じる窓部が設けられた開口部装置にあって、特に施錠時に窓部から召し合わせ框内に雨水等が入りにくくした、開口部装置に関する。
【背景技術】
【０００２】
室外に面する内障子、及び外障子を備えた開口部装置にあっては通常、内障子側にクレセント、外障子側に該クレセントに係合される鍵受けを設け、これらクレセントと鍵受けとにより施錠装置を構成して開口部の防犯性を高めるとともに、クレセントを回動させることにより、クレセントのスプーンの形状を利用して、外障子を内障子側に引き寄せて、両障子間の密閉性を向上させ、外気中に存在する塵埃や風により吹き込まれやすい雨水などの室内への侵入防止をはかっている。
【０００３】
一方、我が国は世界に冠たる治安が高く安定した国家ではあるが、近年諸般の事情から、賊が建物の開口部装置の施錠を破って室内に侵入し、金品を持ち去る犯罪が増加している。かかる犯罪に対処するため、建物開口部における施錠装置に関しても種々の検討がされている。例えば特許文献１には、内障子の内召合わせ框の内部に格納して鍵本体として構成し、外障子の外召合わせ框にも鍵受けを設けて、これら両召し合わせ框内に配置された鍵本体と鍵受けとからなるサッシ窓の施錠装置が開示されている。このように構成された施錠装置によれば、賊は室外側から施錠装置の位置を確認することができないため、施錠装置近傍の障子のガラスパネルを割って、手を差し入れ開錠をはかることが容易ではなくなって、防犯性を高めることができる。
【特許文献１】特開２００３−３７１６号公報
【発明の開示】
【発明が解決しようとする課題】
【０００４】
しかし、上記のように防犯性を高めるために鍵本体を内召し合わせ框内に設けた場合、鍵本体クレセントのいわゆるスプーンを外召し合わせ框内に配置された鍵受けに係合させるために、内召し合わせ框内から室外側へと突出させるための窓部を内召し合わせ框の室外側の面に設ける必要がある。このような窓部は、内外障子の召し合わせ部の隙間に主にサッシ上部から侵入した外部の雨水を、内召し合わせ框内を経て室内に導き入れる経路を形成しうるものであり、これに対応するため、いわゆる止水ラインを形成する必要がある。特に、建物高層部に設けられた開口部装置においては、強風等の影響で、室内外の気圧差が局部的に大きく生じやすく、かかる窓部から室内側への雨水の侵入をいかに防止するかは重要な問題となっている。
【０００５】
内外の障子が開放状態にある場合、すなわち施錠の必要がない場合には、クレセントのスプーンを内召し合わせ框内から室外方向に突出させる必要がない。従って、窓部を開閉することができるシャッターを窓部に備え、開放時にはこのシャッターを閉じておくことにより、内召し合わせ框内に雨水や塵埃等が侵入するのを防止することが可能である。
【０００６】
しかし、通常は開口部装置の内外の障子は閉鎖の上施錠された状態にある時間が圧倒的に長く、上記シャッターは内外の障子が閉鎖された状態においては、雨水の侵入を防止する手段としては機能し得ない。
【０００７】
そこで、本発明は、それぞれ内召し合わせ框内、外召し合わせ框に取り付けられた、クレセントのスプーンと鍵受けとが係合状態にあるとき、内召し合わせ框の室外側面に設けられた窓部からの、内召し合わせ框内、及び室内への雨水の侵入を防止することが可能な開口部装置を提供することを課題とする。
【課題を解決するための手段】
【０００８】
以下、本発明について説明する。なお、本発明の理解を容易にするために添付図面の参照符号を括弧書きにて付記するが、それにより本発明が図示の形態に限定されるものではない。
【０００９】
請求項１に記載の発明は、四辺の枠体（１０）と、この枠体内に配置された複数の障子（２０、３０）を備えるとともに、前記複数の障子のうち少なくとも一枚の障子は左右方向に移動可能に構成された開口部装置であって、室内側障子の内召合わせ框（３３）内に収容可能な鍵片（３０４）と、室外側障子に設けられた鍵受け（７０）とを備えるとともに、内召合わせ框の室外側の面（３３ａ）には、鍵片が内召合わせ框内から突出して鍵受けに係合可能なように框の内外に通じる窓部（４１０）が設けられ、鍵片が鍵受けに係合されているときに、雨水が前記窓部から内召し合わせ框内に侵入し、さらに室内側に侵入するのを防止する雨水侵入防止手段（３５０、８０）を有している開口部装置（１００）により前記課題を解決する。
【００１０】
請求項２に記載の発明は、請求項１に記載の開口部装置（１００）において、雨水侵入防止手段は、鍵片と一体に形成されるとともに、窓部（４１０）の開口面と略同一形状の窓部閉鎖平面（３０５）を備え、鍵片（３０４）を鍵受け（７０）との係合状態にまで操作したときに、窓部の開口面に窓部閉鎖平面が配置されるブロック体（３５０）であることを特徴とする。
【００１１】
請求項３に記載の発明は、請求項１に記載の開口部装置（１００）において、雨水侵入防止手段は、内召し合わせ框内に配設される箱体（８０）であり、箱体は一の面に開口部（８５）を備えるとともに、開口部の周囲は内召し合わせ框（３３）の室外側面（３３ａ）に接合されており、窓部（４１０）は開口部（８５）の面内に配置されるとともに、鍵片（３０４）は鍵受け（７０）に係合していないときには箱体内部に収容可能に構成されていることを特徴とする。
【００１２】
請求項４に記載の発明は、請求項１〜３のいずれか１項に記載の開口部装置（１００）において、窓部（４１０）が、内外の障子の開動作に伴って閉じ、内外の障子の閉動作に伴って開く開閉手段（４５０）を有していることを特徴とする。
【発明の効果】
【００１３】
請求項１の発明によれば、鍵受けとの係合のため、内召し合わせ框内から鍵片の出入りが可能になるように設けた窓部から雨水が内召し合わせ框内に入り、さらに室内側に侵入するのを、雨水侵入防止手段により防止する。従って、雨水を室内に侵入させることのない、快適な開口部装置を提供することができる。
【００１４】
請求項２の発明によれば、施錠装置が操作されて施錠状態になったときに、鍵片に一体に形成されたブロック体の窓部閉鎖平面が窓部の開口面に配置されるので、窓部開口面がブロック体の平面により閉鎖される。よって、簡易な構造により、施錠状態における窓部からの雨水の侵入を防止することができる。
【００１５】
請求項３の発明によれば、箱体により窓部の開口面の室内側を完全に覆ってしまうので、確実に施錠状態における窓部からの雨水の侵入を防止することができる。
【００１６】
請求項４の発明によれば、施錠状態に加えて、内外の障子が開放されているときにも窓部が開閉手段により閉鎖されるので、どのような状況にあっても、窓部からの雨水や塵埃が内召し合わせ框内に侵入するのを防止することができる。従って、室内側への雨水の侵入を防止するとともに、内召し合わせ框内に配置された施錠装置の各部材が雨水により錆を発生したり、塵埃等を噛み込んで作動不良を起こすなどの虞が少ない開口部装置を構成することができる。
【００１７】
本発明のこのような作用及び利得は、次に説明する発明を実施するための最良の形態から明らかにされる。
【発明を実施するための最良の形態】
【００１８】
以下本発明を、左右引き違い障子を例にとって、図面に示す実施形態に基づき説明する。なお、本発明は、以下の実施形態に限定されることはなく、たとえば、外障子、又は内障子のいずれか一方が固定されている片引き窓、中央の２枚が合掌している４枚引き戸などにも適用が可能である。
【００１９】
図１は、開口部装置の外観を室内側の視点から示す斜視図である。以下の説明に使用する図１〜７の各図は、その視点がそれぞれに異なる斜視図であるため、その配置を明確にするために、室内方向を矢印により示すものとする。
【００２０】
図示の開口部装置１００は、枠体１０内に、外障子２０、及び内障子３０が左右に引き違い可能にはめ込まれている。枠体１０は、上下の枠材１１、１２、及び左右の枠材１３、１４を組み合わせ、矩形の形状に組み立てられている。上枠１１、及び下枠１２には、レール、又はこれに準ずる形状・部材が形成・配設されており、内外の障子３０、２０はこれらに導かれて左右方向に移動され、開口部装置１００の開閉が行われる。
【００２１】
外障子２０は、上桟２１、下桟２２、左縦框２３、及び外召し合わせ框２４（外召し合わせ框２４は後述する内召し合わせ框３３の背後にあり、図１にはあらわされていない。）により構成される四辺の枠体内にガラスパネル２５がはめ込まれて構成されている。一方、内障子３０は、上桟３１、下桟３２、内召し合わせ框３３、及び右縦框３４により構成される四辺の枠体内にガラスパネル３５がはめ込まれて構成されている。内召し合わせ框３３、及び外召し合わせ框２４の内部には互いに係合される施錠装置２００が収容されている。これについては後に詳述する
【００２２】
図２は、内召し合わせ框３３に取り付けられる施錠装置２００の各部材を室内側の視点から見た斜視図である。内召し合わせ框３３に取り付けられる施錠装置の各部材は大きく分けて、室内側窓枠体２１０と、施錠装置本体２５０と、室外側窓枠体４００とに分けられる。図３は、内召し合わせ框３３に取り付けられる施錠装置各部材を個々に示す室内側の視点から見た分解斜視図である。以下にこれら図２、３を参照しつつ、内召し合わせ框３３側の施錠装置２００各部材について説明する。
【００２３】
内召し合わせ框３３の室内側の面に取り付けられる室内側窓枠体２１０においては、矩形の開口２１１を囲むように矩形の枠体２１２が形成されている。使用者は開口２１１から手を差し入れて、施錠装置２００の操作部を操作する。開口２１１には上下方向にスライドして開口２１１を開閉するスライダ２１３が取り付けられている。枠体２１２の上部にはシリンダー錠２１４が設けられている。スライダ２１３により開口２１１が閉鎖されている状態においてシリンダー錠２１４を施錠することにより、スライダ２１３がロックされ、施錠装置２００の操作が不可能となる。よって、使用者が外出等の際に、施錠装置２００を施錠後、シリンダー錠２１４に施錠することによって、第三者が施錠装置２００を開錠することが不可能となる。従ってかかる構成により、開口部装置１００の防犯性をさらに高めることができる。なお、枠体２１２の背後には左右一対の殻体２１５、２１６が配置されている。組み立て状態において殻体２１５、２１６の室内側は枠体２１２の開口２１１に対応する開口（不図示）が形成され、一方室外側には、後述するクレセントのアーム３０２（図４、５参照）が回動可能なように上下方向にスリットが形成されている。
【００２４】
鍵本体２５０は、型材に固定可能にされた第一ボックス２５１と、この第一ボックス２５１の外側に被せられるように配置された第二ボックス２５２と、これら二つのボックスの略中央に見付け方向に形成された孔２５１ａ、２５２ａに貫通して挿入される軸２５３と、この軸２５３に固定して取り付けられたクレセント３００、及びブロック体３５０とを備えている。
【００２５】
さらに、室外側窓枠体４００は、内召し合わせ框３３の室外側の面に取り付けられる窓枠４０１と、窓枠４０１の中央に形成された窓部４１０の開閉を司るシャッター４５０とを備えている。
【００２６】
図４は、クレセント３００、窓枠４０１、及びシャッター４５０の三者のみを示す分解斜視図である。なお図２、３に関するこれまでの説明において、すでに説明した部材に関しては、これらの図における参照符号と同一の参照符号を付してその説明を省略することがある。
【００２７】
クレセント３００は、一端側（室内側）に操作ハンドル３０３を備えている。使用者はこの操作ハンドルに手をかけて、上下に操作することにより施錠装置２００の施開錠を行うことができる。一方クレセント３００の他端側にはスプーン３０１が形成されている。スプーン３０１の外周には円弧状の鍵片３０４が形成されている。鍵片３０４が後述する外召し合わせ框２４内に配設された鍵受け７０（図７参照）に係合されることにより、施錠装置２００が施錠される。
【００２８】
操作ハンドル３０３は帯状の剛性の高い金属により形成されたアーム３０２により連結されている。アーム３０２は前述したように一対の殻体２１５、２１６により形成されるスリット内に配置され、操作ハンドル３０３は開口２１１から室内側に露出されている。
【００２９】
一方、アーム３０２の他端側には、スプーン３０１が上記の軸２５３に固定して取り付けられている。
【００３０】
スプーン３０１の内面側にはブロック体３５０がはめ込まれている。ブロック体３５０はスプーン３０１と一体になって、軸２５３の周りに軸２５３とともに回動される。また、ブロック体３５０には、軸２５３の回動する面と直交する方向に平面３０５が形成されている。
【００３１】
室外側窓枠体４００のシャッター４５０の上下には見付け方向にガイド溝４５１、４５２が形成されている。一方窓枠４０１の上下にも、ガイド溝４５１、４５２に対応する位置に見付け方向に２本の条４０４、４０５が形成されている。そしてこれらの条４０４、４０５にガイド溝４５１、４５２が導かれて、シャッター４５０が窓枠４０１上を見付け方向左右に摺動可能とされている。内外の障子２０、３０が開口部装置１００の開放位置にあるときには、不図示の弾性部材により窓部４１０を閉鎖するように、シャッター４５０が見付け方向に付勢されている。内外の障子２０、３０が開放位置から閉鎖方向に移動されると、後述する外召しあわせ框２４の室内側の面２４ａに取り付けられた突片７６により押圧されて、上記シャッター４５０が弾性部材の付勢に抗して、室外側窓枠体４００上を窓４１０が開放される方向に摺動移動される。
【００３２】
図５は、図４のクレセント３００の操作ハンドル３０３を上方に引き上げて、クレセント３００を施錠位置に回動した場合の各部材の配置を示す斜視図である。このときにブロック体３５０の平面３０５が窓部４１０に配置されて、窓部４１０の開口はほぼ全面に亘り平面３０５により閉鎖される。従って施錠装置２００が施錠状態にあるときに、窓部４１０から内召し合わせ框３３への雨水等の侵入が防止される。なお、シャッター４５０は開口部装置１００の開放状態において窓部４１０を閉鎖しているが、このとき、内外の障子２０、３０は開口部装置１００を閉鎖している状態にあるので、シャッター４５０は窓部４１０を開放している状態にあることはいうまでもない。
【００３３】
一方、図６は、開口部装置１００が開放状態にあるときの内召合わせ框３３を室外方向から見た斜視図である。窓枠４０１は、上下の取り付けネジ４０２、４０３により内召し合わせ框３３の室外側面３３ａに固定されている。窓枠４０１の中央に形成されている窓部４１０は、開口部装置１００の開放状態においては、シャッター４５０（図６においては網掛けにより表されている。）により完全に閉鎖されている。
【００３４】
図７は、外召合わせ框２４を室内方向から見た斜視図である。外召し合わせ框２４の内部には鍵受け７０が配置されている。鍵受け７０が、上記鍵片３０４に係合されて施錠装置２００の施錠がなされる。
【００３５】
図７に一実施形態を示すように、外召し合わせ框２４の室内側の面２４ａには、突片７６が、鍵受け７０の近傍に設けられている。突片７６は、上端部７６ａ、下端部７６ｂを有している。突片７６は、外召合わせ框２４の室内側の面２４ａからさらにその厚さの分だけ室内方向に突出している。外障子２０、及び内障子３０が閉動作されるときに、内召し合わせ框３３の窓部４１０を開閉するシャッター４５０の上下に形成されているガイド溝４５１、４５２（図４又は図５参照）が、それぞれ突片７６の上端部７６ａ及び下端部７６ｂの端面に当接される。そして、さらに内外の障子２０、３０を閉方向に移動させると、シャッター４５０は、突片７６に押圧されて、弾性部材の付勢に抗して窓部４１０が開く方向に移動されてゆく。
【００３６】
図８は、第二実施形態にかかる開口部装置の施錠装置を示す平面図、図９はその正面図である。本実施形態にかかる開口部装置の施錠装置８００は、内召し合わせ框３３内に箱体８０が配設され、その箱体８０内に施錠装置の各部材が収容されている。箱体８０は室外側の面に開口部８５を備えるとともに、開口部８５の周囲は内召し合わせ框３３の室外側面内側に接合されている。内召し合わせ框３３の室外側面３３ａに設けられた窓部４１０は、箱体開口部８５の面内に配置されている。なお、箱体８０下面には箱体８０内部に侵入した雨水を排出する水抜き孔８１が形成されている。
【００３７】
内召し合わせ框３３側の施錠装置各部材の構成は、第一実施形態にかかる施錠装置２００と比較した場合、その差異は
（１）スプーンにブロック体がない。
（２）その代わりに、内召し合わせ框３３内部の施錠装置各部材の大半が箱体に覆われている。
の２点のみである。箱体８０の側面には軸２５３が隙間なく貫通されている。軸２５３とクレセント３００と箱体８０との位置関係は次の通りである。箱体８０の外部にはクレセント３００の操作ハンドル３０３、及びアーム３０２が配置され、箱体８０内部にはクレセント３００のスプーン３０１が収容されている。そしてアーム３０２と、スプーン３０１とは軸２５３に固定されていて、軸２５３の周りに回動される。軸２５３は、箱体８０の側面に形成された孔（不図示）に回動自由に取り付けられている。箱体８０は、内召し合わせ框３３に固定されているので、回動するのは軸２５３の方である。
【００３８】
かかる第二実施形態にかかる開口部装置においては、施錠状態において、窓部４１０とスプーン３０１との隙間から雨水が内召し合わせ框３３内に侵入することが起こり得る。しかし、窓部４１０の内部は箱体８０に覆われているので、侵入した雨水は箱体８０内面を流れ落ちて、水抜き孔８１から下方に排出され、室内側開口２１１から室内に侵入することが防止される。さらに排出された雨水は框３３内部を伝って下方に流れ落ち、内召し合わせ框３３下面に設けられた排水溝（不図示）から、枠体１０の下枠１２上に排出される。そして、下枠１２に形成されている不図示の水抜き孔や室外側への傾斜などの構造によって、室外に排出される。
【００３９】
以上、現時点において、もっとも、実践的であり、かつ、好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴う開口部装置もまた本発明の技術的範囲に包含されるものとして理解されなければならない。
【図面の簡単な説明】
【００４０】
【図１】開口部装置の外観を室内側から示す斜視図である。
【図２】内召し合わせ框に取り付けられる施錠装置各部材を室内側の視点から見た斜視図である。
【図３】内召し合わせ框に取り付けられる施錠装置各部材を個々に示す室内側の視点から見た分解斜視図である。
【図４】クレセント、窓部材、及びシャッター部材を示す分解斜視図である
【図５】図４のクレセントを施錠位置に操作した場合の各部材の配置を示す斜視図である。
【図６】内召合わせ框を室外方向から見た斜視図である。
【図７】外召合わせ框を室内方向から見た斜視図である。
【図８】第二実施形態にかかる開口部装置の施錠装置を示す平面図である。
【図９】第二実施形態にかかる開口部装置の施錠装置を示す正面図である。
【符号の説明】
【００４１】
１０  枠体
１１  上枠
１２  下枠
１３  左縦枠
１４  右縦枠
２０  外障子
２１  上桟
２２  下桟
２３  左縦框
２４  外召し合わせ框
２４ａ  室内側面
２５  ガラスパネル
３０  内障子
３１  上桟
３２  下桟
３３  内召し合わせ框
３３ａ  室内側面
３４  右縦框
３５  ガラスパネル
７０  鍵受け
７６  突片
７６ａ  上端部
７６ｂ  下端部
８０  箱体
８１  水抜き孔
８５  開口部
１００  開口部装置
２００  施錠装置
２１０  室内側窓枠体
２１１  開口
２１２  枠体
２１３  スライダ
２１４  シリンダー錠
２１５、２１６  殻体  
２５０  施錠装置本体
２５１  第一ボックス
２５２  第二ボックス
２５１ａ、２５２ａ  孔
２５３  軸
３００  クレセント
３０１  スプーン
３０２  アーム
３０３  操作ハンドル
３０４  鍵片
３０５  平面
３５０  ブロック体
４００  室外側窓枠体
４０１  窓枠
４０２、４０３  取り付けネジ
４０４、４０５  条
４１０  窓部
４５０  シャッター（開閉手段）
４５１、４５２  ガイド溝
８００  施錠装置
【図１】
2006118136.tif 000003
【図２】
2006118136.tif 000004
【図３】
2006118136.tif 000005
【図４】
2006118136.tif 000006
【図５】
2006118136.tif 000007
【図６】
2006118136.tif 000008
【図７】
2006118136.tif 000009
【図８】
2006118136.tif 000010
【図９】
2006118136.tif 000011